(57)【要約】      （修正有）【課題】紫外線を照射する装置構成が簡易で、人体の影響を低減して殺菌効果の高い携帯用紫外線殺菌装置を提供する。【解決手段】携帯用紫外線殺菌装置１０は、大人の手の平サイズのケーシング本体１２の照射穴１４から殺菌作用を有する波長とオゾンガスを発生する波長を主波長とし、線量３０ｍＪ／ｃｍ２の紫外線を照射する紫外線照射部２０と、照射穴１４を開放又は覆って照射する波長を切り替えるフィルター３０と、を備えた。【選択図】図１
0003227842.tif 000002
【実用新案登録請求の範囲】
【請求項１】
大人の手の平サイズのケーシング本体の照射穴から殺菌作用を有する波長とオゾンガスを発生する波長を主波長とし、線量３０ｍＪ／ｃｍ２の紫外線を照射する紫外線照射部と、
前記照射穴を開放又は覆って照射する前記波長を切り替えるフィルターと、
を備えたことを特徴とする携帯用紫外線殺菌装置。
【請求項２】
請求項１に記載された携帯用紫外線殺菌装置であって、
前記フィルターは、２００ｎｍ以下の波長を遮断する石英ガラス製であることを特徴とする携帯用紫外線殺菌装置。
【考案の詳細な説明】
【技術分野】
【０００１】
本考案は身近の対象物に紫外線を照射して殺菌する携帯用の紫外線殺菌装置に関する。
【背景技術】
【０００２】
近年、インフルエンザ、新型コロナウィルス（ＣＯＶＩＤ−１９）などのウィルス感染の拡大を防ぐ手段として、うがい、手洗い、アルコール消毒が有効な手段として慣用化している。日常生活においてはドアノブ、手すり、押ボタン、タッチスクリーンなどのモノに接触する場面が多々あるがウィルス付着のリスクがあると知りつつ安易に触れてしまうことが多い。
従来、モノに触れる前に直接触れることなく短時間の紫外線照射で殺菌できるハンディタイプの殺菌装置がある。一例として特許文献１に開示の装置は、装置本体から殺菌作用を有する紫外線又は／及びオゾンガスを放射する放射部が伸縮自在となり、手が届かない高所、機器等の狭い隙間、コーナー部分などであっても殺菌することができる。
しかしながら、特許文献１に開示の装置は、２種類の波長を照射する１つの紫外線ランプのうち１種類の波長のみ照射することができず、波長の異なる２種類の紫外線ランプを装置本体に配置しなければならない。このため装置の配線構成が複雑かつ装置全体が高コスト化してしまう。また強い線量の波長２５４ｎｍの紫外線を照射する場合には人体に悪影響を及ぼす可能性がある。
【先行技術文献】
【特許文献】
【０００３】
【特許文献１】特許第２９１３４０３号公報
【考案の概要】
【考案が解決しようとする課題】
【０００４】
本考案が解決しようとする課題は、上記従来技術の問題点に鑑み、紫外線を照射する装置構成が簡易で、人体の影響を低減して殺菌効果の高い携帯用紫外線殺菌装置を提供することにある。
【課題を解決するための手段】
【０００５】
本考案は、上記課題を解決するための第１の手段として、大人の手の平サイズのケーシング本体の照射穴から殺菌作用を有する波長とオゾンガスを発生する波長を主波長とし、線量３０ｍＪ／ｃｍ２の紫外線を照射する紫外線照射部と、
前記照射穴を開放又は覆って照射する前記波長を切り替えるフィルターと、
を備えたことを特徴とする携帯用紫外線殺菌装置を提供することにある。
上記第１の手段によれば、使用場面に応じて効果的な紫外線の波長を選択でき、かつ人体の影響を低減した線量の紫外線で殺菌性の高い携帯用紫外線殺菌装置を提供できる。
【０００６】
本考案は、上記課題を解決するための第２の手段として、第１の手段において、前記フィルターは、２００ｎｍ以下の波長を遮断する石英ガラス製であることを特徴とする携帯用紫外線殺菌装置を提供することにある。
上記第２の手段によれば、対象物へ紫外線の直接照射による殺菌作用と、対象物の側面など直接紫外線を照射できない箇所のオゾンガスによる酸化殺菌作用を使用対象によって切り替えることができる。
【考案の効果】
【０００７】
本考案によれば、使用場面に応じて効果的な紫外線の波長を選択できる。
また線量の弱い紫外線で人体の影響を低減でき安全性を確保できる。
細菌細胞ウィルスのＲＮＡ塩基鎖破断破壊による殺菌又は／及びオゾンガスの発生による酸化殺菌を用いた殺菌性の高い携帯用紫外線殺菌装置を提供できる。
【図面の簡単な説明】
【０００８】
【図１】本考案の携帯用紫外線殺菌装置の斜視図である。
【図２】本考案の携帯用紫外線殺菌装置の使用状態を示す説明図である。
【考案を実施するための形態】
【０００９】
本考案の携帯用紫外線殺菌装置の実施形態について、図面を参照しながら、以下詳細に説明する。
図１は、本考案の携帯用紫外線殺菌装置の斜視図である。図示のように本考案の携帯用紫外線殺菌装置１０は、大人の手の平サイズのケーシング本体１２の照射穴１４から殺菌作用を有する波長とオゾンガスを発生する波長を主波長とし、線量３０ｍＪ／ｃｍ２の紫外線を照射する紫外線照射部２０と、前記照射穴１４を開放又は覆って照射する前記波長を切り替えるフィルター３０と、を備えたことを特徴としている。
ケーシング本体１２は大人の手の平サイズのプラスチック樹脂製の筐体であり、携帯性がある。また本体にストラップ１３を付けることにより持ち運びが容易となる。ケーシング本体１２の表面には後述する紫外線照射部２０の照射穴１４を配置している。またケーシング本体１２の側面には紫外線照射部２０による紫外線の照射又は非照射の電源スイッチ１６を配置している。
【００１０】
紫外線照射部２０は、波長２５４ｎｍ及び１８５ｎｍを主波長とする紫外線を照射する低圧紫外線ランプである。波長２５４ｎｍの紫外線は細菌細胞破壊及びウィルスのＲＮＡ塩基鎖を断裂破壊して殺菌する作用を有する。波長１８５ｎｍの紫外線は空気中の酸素と反応してヒドロキシラジカル、スーパーオキシドアニオンなどが生成されてオゾンによる酸化殺菌及び脱臭する作用を有する。紫外線照射部２０は、線量３０ｍＪ／ｃｍ２の紫外線を照射するようにして、人体の影響を低減している。なお、本実施形態の紫外線照射部２０は、線量６ｍＪ／ｃｍ２〜３０ｍＪ／ｃｍ２の範囲としている。線量６ｍＪ／ｃｍ２よりも小さいと照射対象物から離れた場合に十分な殺菌効果が得られない。また線量３０ｍＪ／ｃｍ２よりも大きいと人体に影響を及ぼすおそれがある。
フィルター３０は波長の所定領域（ｎｍ）の紫外線の透過を遮断（本実施形態では一例として波長２００ｎｍ以下の紫外線）する石英ガラスを用い、この石英ガラスは肉厚１ｍｍで約１００ｐｐｍのチタン（Ｔｉ）を含有している。フィルター３０はケーシング本体１２の照射穴１４を覆う位置と照射穴が露出する位置の間を移動して照射穴１４を開閉できるように取り付けている。フィルター３０で照射穴１４を覆った（閉じた）とき、照射穴１４からは波長２００ｎｍよりも長い紫外線、換言すると２５４ｎｍの紫外線が照射されて、１８５ｎｍの紫外線は遮蔽（カット）される。
【００１１】
上記構成による携帯用紫外線殺菌装置は、使用場面に応じて紫外線の波長を選択でき、例えば、手すり、ドアノブなどの場合、紫外線の直接照射では紫外線が届かない側面又は裏面があるため、照射穴１４のフィルター３０を開放して、波長２５４ｎｍと１８４ｎｍを主波長とする紫外線を照射することにより、表面は紫外線の直接照射による殺菌作用と側面及び裏面はオゾンガスによる酸化作用により、効果的に対象物を殺菌できる。
また各種押しボタン、キーボードなど平面の場合は、紫外線を直接照射により殺菌できるため、照射穴１４をフィルター３０で覆い、２００ｎｍ以下の紫外線をカットして２４５ｎｍを主波長とする紫外線照射によって殺菌できる。
図２は本考案の携帯用紫外線殺菌装置の使用状態を示す説明図である。このときユーザはケーシング本体１２を持ちながら裏面の照射穴１４を対象物に向けてから側面の電源スイッチ１６を入れて紫外線を照射するため、ケーシング本体１２の表面側のユーザに紫外線が照射されることを防止できる。また電源に自動照射停止（オートパワーオフ）機能を備える構成とし、照射し続けることによる浪費を回避するようにしても良い。
【００１２】
このような本考案によれば、使用場面に応じて効果的な紫外線の波長を選択できる。また線量の弱い紫外線で人体の影響を低減でき安全性を確保できる。細菌細胞ウィルスのＲＮＡ塩基鎖破断破壊による殺菌又は／及びオゾンガスの発生による酸化殺菌を用いた殺菌性の高い紫外線殺菌装置を提供できる。
以上、本考案の好ましい実施形態について説明した。しかしながら、本考案は、上記実施形態に何ら制限されることなく、本考案の主旨を逸脱しない範囲において、種々の変更が可能である。
また、本考案は、実施形態において示された組み合わせに限定されることなく、種々の組み合わせによって実施可能である。
【符号の説明】
【００１３】
１０  携帯用紫外線殺菌装置
１２  ケーシング本体
１３  ストラップ
１４  照射穴
１６  電源スイッチ
２０  紫外線照射部
３０  フィルター
【図１】
0003227842.tif 000003
【図２】
0003227842.tif 000004